(57)【要約】【課題】ＬＡＮインタフェースを収容する伝送装置において、複数のＬＡＮインタフェースを実装するカードに障害が発生した場合に、該ＬＡＮインタフェースのパケット信号送信を停止させることで、信号疎通可能なＬＡＮインタフェースまでもパケット信号送信を停止させてしまう。【解決手段】複数のＬＡＮインタフェースを実装するカードに障害が発生した場合に、該ＬＡＮインタフェースのプロテクション機能種別に応じて該ＬＡＮインタフェースでの信号送信の停止を実施しない制御を行う。【選択図】図１  
2005130409.tif 000002
【特許請求の範囲】
【請求項１】
複数のＬＡＮインタフェースを実装するカードを複数収容し、該カードに障害が発生した場合に、該ＬＡＮインタフェースが有するプロテクション機能に応じてプロテクション動作を行うＬＡＮインタフェース収容伝送装置において、
前記の複数のＬＡＮインタフェースを実装するカードに障害が発生した場合に、該ＬＡＮインタフェースが有するプロテクション機能に応じて該ＬＡＮインタフェースでのパケット信号送信の停止を実施しない制御を行うＬＡＮインタフェース制御手段を備えることを特徴とするＬＡＮインタフェース収容伝送装置。
【請求項２】
複数のＬＡＮインタフェースを実装するカードを複数収容し、該カードに障害が発生した場合に該ＬＡＮインタフェースが有するプロテクション機能に応じてプロテクション動作を行うＬＡＮインタフェース制御方法において、
複数のＬＡＮインタフェースを実装するカードの障害を検出し、
該ＬＡＮインタフェースのプロテクション機能種別を識別し、
該ＬＡＮインタフェースでのパケット信号送信の停止を、該プロテクション機能種別に応じて実施しないことを特徴とするＬＡＮインタフェース制御方法。
【発明の詳細な説明】
【技術分野】
【０００１】
本発明は、ＬＡＮ(local area network)に接続するインタフェース（以降、ＬＡＮインタフェースと記載する。）を収容する伝送装置において、複数のＬＡＮインタフェースを実装するカードに障害が発生した場合に、該ＬＡＮインタフェースの有するプロテクション機能に応じて該ＬＡＮインタフェースでのパケット信号送信の停止を実施しない制御を行うＬＡＮインタフェース収容伝送装置およびＬＡＮインタフェース制御方法に関する。
【背景技術】
【０００２】
インターネットの普及とともにＬＡＮインタフェースを収容する伝送装置は多くのＬＡＮインタフェースを収容する高密度実装が求められ、１枚のカードに複数のＬＡＮインタフェースを実装することはシステムＬＳＩ等の開発により可能になってきた。
【０００３】
また、ＬＡＮインタフェースを収容する伝送装置においては伝送する信号の信頼性向上のためにいろいろなプロテクション機能が採用されている。下記に概要を説明する。
（１）１＋１冗長構成（以降１＋１と記載する。）
２つのＬＡＮインタフェースのうち、１つのＬＡＮインタフェースを現用として使用し他の１つのＬＡＮインタフェースを予備とし、該現用のＬＡＮインタフェースに障害が発生した場合に該予備のＬＡＮインタフェースを現用として切り替える。
（２）リンク・アグリゲーション(link aggregation、以降、ＬＡと記載する。）
複数のＬＡＮインタフェースを束ねて１本の論理回線として使用し、該複数のＬＡＮインタフェースのうちのいずれかのＬＡＮインタフェースで障害が発生した場合に、該障害のＬＡＮインタフェースを除いた残りのＬＡＮインタフェースに該障害のＬＡＮインタフェースのパケット信号を振り分ける。
（３）スパニング・ツリー・プロトコル(spanning tree protocol、以降、ＳＴＰと記載する。）
ループ状に形成されたネットワーク内では、一つのＬＡＮインタフェースに到達する経路が複数存在しデータが巡回するのを防止するために、通常使用する通信経路を一つ設定し、それ以外の経路は障害発生時の迂回経路として設定している。ループを構成する該ＬＡＮインタフェースでは、ＢＰＤＵ(bridge protocol data unit)パケットと呼ばれる制御パケットをブロードキャストすることで接続確認を行っており、スパニング・ツリーを構成するＬＡＮインタフェースで障害が発生した場合には、該ＢＰＤＵパケットの送信が停止され該ＬＡＮインタフェースはスパニング・ツリー内の通信経路から除外される。
【０００４】
上記の１＋１を適用し、二重化ＬＡＮスイッチ装置を提供するために、この二つのＬＡＮスイッチ装置にて運用系と予備系との選択を行いＬＡＮスイッチ装置からの送信データをローカリエリアネットワークに転送するＬＡＮインタフェースについて開示しているものがある（例えば、特許文献１参照。）。
【０００５】
そして、上記のようなプロテクション機能を搭載したＬＡＮインタフェースを複数実装したＬＡＮインタフェースカードにおいて障害が発生した場合、それぞれのプロテクション機能によってＬＡＮインタフェースのパケット信号疎通を確保するべくプロテクション制御が実施される。また、保守のため障害が発生したＬＡＮインタフェースカードは交換されることになる。そのため該保守交換されるＬＡＮインタフェースカードに実装されるＬＡＮインタフェースではパケット信号送信を停止させるべく制御される。
【０００６】
図４はＬＡＮインタフェース収容伝送装置の構成を説明する図である。１はＬＡＮインタフェース収容伝送装置、３１〜３４はＬＡＮインタフェースカード、３５は装置管理制御カードである。ＬＡＮインタフェースカード３１，３２は３２ポートのＬＡＮインタフェースが、ＬＡＮインタフェース３３，３４は８ポートのＬＡＮインタフェースが実装されているものとする。３１１、３３１はＬＡＮインタフェースが有するＬＡＮと接続する物理的なポートである。ここで、ＬＡＮインタフェースカード３１〜３４が実装される場所をスロット１〜４とする。装置管理制御カード３５はＬＡＮインタフェース収容伝送装置１の管理および制御を実施するものであり、スロット１〜４に搭載されているＬＡＮインタフェースカード種別、前記のプロテクション機能、ＬＡＮインタフェースカードの障害監視等を行う。
【０００７】
図５はＬＡＮインタフェース収容伝送装置のプロテクション機能を説明する図である。４０ａ，４０ｎはＬＡＮインタフェース回路でありＬＡＮインタフェースカードを示しており、前記図４で説明したようにＬＡＮインタフェース収容伝送装置にはＬＡＮインタフェース回路４０ａが複数収容されている。４１は警報管理部、４２は１＋１制御部、４３はＬＡ制御部、４４はＳＴＰ制御部、４５はＬＡＮインタフェース制御部である。
【０００８】
ＬＡＮインタフェース回路４０ａはＬＡＮインタフェース入力信号(40)、ＬＡＮインタフェース出力信号(41)にてＬＡＮと接続している。ＬＡＮインタフェース回路４０ａ〜４０ｎで検出された障害信号(42)は警報管理部４１にて収集され、プロテクション処理を行うＬＡＮインタフェースカードを認識する。警報管理部４１から１＋１制御部４２、ＬＡ制御部４３、ＳＴＰ制御部４４へは障害の発生したＬＡＮインタフェースカード番号（以降、カードＮｏと記載する。）とＬＡＮインタフェース番号（以降、ポートＮｏと記載する。）を通知する(43)。また、警報管理部４１からＬＡＮインタフェース制御部４５へは障害の発生したカードＮｏを通知する。１＋１制御部４２は通知されるポートＮｏに応じて１＋１切り替えを実行する。ＬＡ制御部４３は通知されるポートＮｏに応じてＬＡに設定されているポートＮｏの主信号を再振り分けする。ＳＴＰ制御部４４は通知されるポートＮｏに応じてスパニング・ツリーを構成する通信経路から切り離すためにＢＰＤＵパケット信号の送信を停止するべく制御する(44)。ＬＡＮインタフェース制御部４５は警報管理部４１より通知されるカードＮｏに応じて該当するＬＡＮインタフェースカードに実装されているＬＡＮインタフェースでのパケット信号送信を停止するべく制御する(45)。なお、ここで及び以降、(  )付小文字数字は信号を表す。
【０００９】
図６はＬＡＮインタフェース収容伝送装置のプロテクション動作を説明する図（１）である。２はＬＡＮインタフェース収容伝送装置（以降、図面上は装置と記載する。）Ａ、３は装置Ｂ、１１Ａ，２１Ａ，３１Ａ，４１Ａそして１１Ｂ，２１ＢはＬＡＮインタフェースカードであり、ＬＡＮインタフェースカード１１Ａ，２１Ａ，３１Ａ，４１Ａは装置Ａに、ＬＡＮインタフェースカード１１Ｂ，２１Ｂは装置Ｂに実装されている。該ＬＡＮインタフェースカード内に記載されている数字で示されている部分１１ＡＰ，２１ＡＰ，３１ＡＰ，４１ＡＰ，１１ＢＰ，２１ＢＰはＬＡＮインタフェースを示すポートＮｏである。以降、例えばＬＡＮインタフェースカード１１Ａの２のＬＡＮインタフェースを示す場合は１１ＡＰ２、例えばＬＡＮインタフェースカード４１Ａの１のＬＡＮインタフェースを示す場合は４１ＡＰ１と表す。
【００１０】
図６では、各ＬＡＮインタフェースカードに実装されているＬＡＮインタフェースの数は８としている。ＬＡＮインタフェース３１ＡＰ１，３１ＡＰ３，３１ＡＰ４，３１ＡＰ５，４１ＡＰ１はＬＡＮと接続されている。ＬＡＮインタフェース１１ＡＰ１〜８はインターネットを介して（図面上は記載せず。）ＬＡＮインタフェース１１ＢＰ１〜８と、ＬＡＮインタフェース２１ＡＰ１，２，５〜８もＬＡＮインタフェース２１ＢＰ１，２，５〜８と接続されている。
【００１１】
図６において、装置Ａ２から装置Ｂ３へ伝送されるパケット信号について説明する。
・ＬＡＮインタフェース３１ＡＰ１が受信したパケット信号はＬＡＮインタフェース１１ＡＰ１と２１ＡＰ１へ送信される。つまり、ＬＡＮインタフェース１１ＡＰ１と２１ＡＰ１は１＋１構成が採られており、ＬＡＮインタフェース１１ＡＰ１を現用、２１ＡＰ１を予備とする。
・ＬＡＮインタフェース３１ＡＰ３が受信したパケット信号はＬＡＮインタフェース１１ＡＰ３へ送信される。つまり、ＬＡＮインタフェース１１ＡＰ３はプロテクション機能を持たないシングル運用とする。
・ＬＡＮインタフェース３１ＡＰ４が受信したパケット信号はＬＡＮインタフェース１１ＡＰ４へ送信され、ＬＡＮインタフェース１１ＡＰ４はＳＴＰとして使用されているとする。
・ＬＡＮインタフェース３１ＡＰ５が受信したパケット信号はＬＡＮインタフェース１１ＡＰ５〜８とＬＡＮインタフェース２１ＡＰ５〜８へ送信される。つまり、ＬＡが構成されている。
・ＬＡＮインタフェース４１ＡＰ１が受信したパケット信号はＬＡＮインタフェース１１ＡＰ２と２１ＡＰ２へ送信される。つまり、ＬＡＮインタフェース１１ＡＰ２と２１ＡＰ２は１＋１構成が採られており、ＬＡＮインタフェース１１ＡＰ２を現用、２１ＡＰ２を予備とする。
【００１２】
前記図６の状態においてＬＡＮインタフェースカード１１Ａに障害が発生したとする。この状態を図７にて示す。
【００１３】
図７はＬＡＮインタフェース収容伝送装置のプロテクション動作を説明する図（２）であり、装置Ａ、装置Ｂ、ＬＡＮインタフェースカード、ＬＡＮインタフェースは図６と同じ符号を用いている。
【００１４】
図７のＬＡＮインタフェースカード１１Ａは障害状態であるため、前記図５で説明したようにＬＡＮインタフェース制御部４５によりＬＡＮインタフェースカード１１Ａに実装されているＬＡＮインタフェース１１ＡＰ１〜８に対してパケット信号送信を停止させる制御が実行される。そのため、ＬＡＮインタフェース１１ＡＰ１〜８からＬＡＮインタフェース１１ＢＰ１〜８へのパケット信号は送信停止状態になっており（以降、リンクダウンと記載する。）、各ＬＡＮインタフェースが有するプロテクション機能により下記の状態になる。
・ＬＡＮインタフェース１１ＡＰ１を現用として送信していたパケット信号は、予備ＬＡＮインタフェース２１ＡＰ１が現用となり救済される。
・ＬＡＮインタフェース１１ＡＰ３にて送信していたパケット信号は、ＬＡＮインタフェース１１ＡＰ３がプロテクション機能を持たないシングル運用であるため、不通になる。
・ＬＡＮインタフェース１１ＡＰ４から送信されていたパケット信号は不通になり、ＳＴＰによる制御（図５のＢＰＤＵパケット信号の送信停止制御(44)）が行われ、ＬＡＮインタフェース１１ＡＰ４はＳＴＰの通信経路から切り離される。
・ＬＡＮインタフェース１１ＡＰ５〜８から送信されていたパケット信号は、ＬＡＮインタフェース２１ＡＰ５〜８に振り分けられることで救済される。
・ＬＡＮインタフェース１２ＡＰ２を現用として送信していたパケット信号は、予備ＬＡＮインタフェース２１ＡＰ２が現用となり救済される。
【００１５】
図８はＬＡＮインタフェース収容伝送装置のプロテクション動作を説明する図（３）であり、装置Ａ、装置Ｂ、ＬＡＮインタフェースカード、ＬＡＮインタフェースは図６と同じ符号を用いている。
【００１６】
図８においては、ＬＡＮインタフェースカード２１Ａの一部のＬＡＮインタフェースが既にリンクダウン状態、つまりＬＡＮインタフェース２１ＡＰ２，５〜８が何らかの要因により障害となりパケット信号送信を停止させる制御が実行されているとする。
【００１７】
前記図８の状態においてＬＡＮインタフェースカード１１Ａに障害が発生したとする。この状態を図９にて示す。
【００１８】
図９はＬＡＮインタフェース収容伝送装置のプロテクション動作を説明する図（４）であり、装置Ａ、装置Ｂ、ＬＡＮインタフェースカード、ＬＡＮインタフェースは図６と同じ符号を用いている。
【００１９】
図９のＬＡＮインタフェースカード１１Ａは障害状態であるため、前記図５で説明したようにＬＡＮインタフェース制御部４５によりＬＡＮインタフェースカード１１Ａに実装されているＬＡＮインタフェース１１ＡＰ１〜８に対してパケット信号送信を停止させる制御が実行される。そのため、ＬＡＮインタフェース１１ＡＰ１〜８からＬＡＮインタフェース１１ＢＰ１〜８への信号はリンクダウンになっており、各ＬＡＮインタフェースが有するプロテクション機能により下記の状態になる。
・ＬＡＮインタフェース１１ＡＰ１を現用として送信していたパケット信号は、予備ＬＡＮインタフェース２１ＡＰ１が現用となり救済される。
・ＬＡＮインタフェース１１ＡＰ３にて送信していたパケット信号は、ＬＡＮインタフェース１１ＡＰ３がプロテクション機能を持たないシングル運用であるため、不通になる。
・ＬＡＮインタフェース１１ＡＰ４から送信されていたパケット信号は不通になり、ＳＴＰによる制御（図５のＢＰＤＵパケット信号の送信停止制御(44)）が行われ、ＬＡＮインタフェース１１ＡＰ４はＳＴＰの通信経路から切り離される。
・ＬＡＮインタフェース１１ＡＰ５〜８から送信されていたパケット信号は、ＬＡＮインタフェース２１ＡＰ５〜８がリンクダウンのためＬＡ構成の全ＬＡＮインタフェース１４ＡＰ５〜８，２４ＡＰ５〜８から送信されていたパケット信号は不通になる。
・ＬＡＮインタフェース１２ＡＰ２を現用として送信していたパケット信号は、予備ＬＡＮインタフェース２１ＡＰ２がリンクダウン状態のため両系障害となり不通になる。
【特許文献１】特開２０００−１３４３０号公報（第３頁、第１図）
【発明の開示】
【発明が解決しようとする課題】
【００２０】
以上記載したように、ＬＡＮインタフェースカードに障害が発生した場合に、保守によるカード交換のため、ＬＡＮインタフェースカードに実装されている全てのＬＡＮインタフェースはパケット信号送信を停止させる制御が実行される。また、ＬＡＮインタフェースカードの障害は該ＬＡＮインタフェースカードに実装されるＬＡＮインタフェースの全てが故障している状態でない場合もあり、該ＬＡＮインタフェースカードに実装されている全てのＬＡＮインタフェースの送信しているパケット信号に影響しない場合があり得る。しかしながら、前記のとおり、ＬＡＮインタフェースカードに障害が発生した場合に、該ＬＡＮインタフェースカードに実装されている全てのＬＡＮインタフェースに対してパケット信号送信を停止させる制御を実行することは、パケット信号疎通の可能性が存在するＬＡＮインタフェースまでもパケット信号疎通を阻害してしまうことになる。
【００２１】
本発明は、ＬＡＮインタフェースを収容する伝送装置において、複数の該ＬＡＮインタフェースを実装するカードに障害が発生した場合に、該ＬＡＮインタフェースの有するプロテクション機能に応じて該ＬＡＮインタフェースでのパケット信号送信の停止を実施しない制御を行うＬＡＮインタフェース収容伝送装置およびＬＡＮインタフェース制御方法を提供することを目的とする。
【課題を解決するための手段】
【００２２】
第一の発明は、複数のＬＡＮインタフェースを実装するカードを複数収容し、該カードに障害が発生した場合に、該ＬＡＮインタフェースが有するプロテクション機能に応じてプロテクション動作を行うＬＡＮインタフェース収容伝送装置において、
前記の複数のＬＡＮインタフェースを実装するカードに障害が発生した場合に、該ＬＡＮインタフェースが有するプロテクション機能に応じて該ＬＡＮインタフェースでのパケット信号送信の停止を実施しない制御を行うＬＡＮインタフェース制御手段を備えることを特徴とするＬＡＮインタフェース収容伝送装置である。
【００２３】
第一の発明によれば、複数のＬＡＮインタフェースを実装するカードに障害が発生した場合に、該ＬＡＮインタフェースの有するプロテクション機能に応じて該ＬＡＮインタフェースのパケット信号送信を停止させることを実施しないように個別に制御するＬＡＮインタフェース収容伝送装置を提供することが可能となる。
【００２４】
第二の発明は、複数のＬＡＮインタフェースを実装するカードを複数収容し、該カードに障害が発生した場合に該ＬＡＮインタフェースが有するプロテクション機能に応じてプロテクション動作を行うＬＡＮインタフェース制御方法において、
複数のＬＡＮインタフェースを実装するカードの障害を検出し、該ＬＡＮインタフェースのプロテクション機能種別を識別し、該ＬＡＮインタフェースでのパケット信号送信の停止を、該プロテクション機能種別に応じて実施しないことを特徴とするＬＡＮインタフェース制御方法である。
【００２５】
第二の発明によれば、複数のＬＡＮインタフェースを実装するカードに障害が発生した場合に、該ＬＡＮインタフェースの有するプロテクション機能に応じて該ＬＡＮインタフェースのパケット信号送信を停止させることを実施しないように制御するＬＡＮインタフェース制御方法を提供することが可能となる。
【発明の効果】
【００２６】
従来のＬＡＮインタフェース収容伝送装置は、複数のＬＡＮインタフェースを実装するＬＡＮインタフェースカードに障害が発生した場合に、該ＬＡＮインタフェースカードの保守交換のため該複数のＬＡＮインタフェースのパケット信号送信を停止することで該複数のＬＡＮインタフェースの運用を停止したが、本発明のＬＡＮインタフェース収容伝送装置およびＬＡＮインタフェース制御方法は、ＬＡＮインタフェースカードに障害が発生した場合にも該ＬＡＮインタフェースカードに実装されているＬＡＮインタフェースの全てが信号疎通できない状態になく、信号疎通が可能なＬＡＮインタフェースが存在する場合があることに注目して、該ＬＡＮインタフェースが有するプロテクション機能に応じて該ＬＡＮインタフェースのパケット信号送信の停止を実施せず、ネットワーク内の信号疎通を妨げる要因を伝送装置として発生させないことで、ネットワークの信頼性を向上させるという利点を有する。
【発明を実施するための最良の形態】
【００２７】
以降、図面を併用して本発明の詳細を説明する。
【００２８】
本発明は、ＬＡＮインタフェースを収容する伝送装置において、複数の該ＬＡＮインタフェースを実装するカードに障害が発生した場合に、ＬＡＮインタフェースでのパケット信号送信を停止させる際、ＬＡＮインタフェースが有するプロテクション機能の登録情報を参照して、該ＬＡＮインタフェースのパケット信号送信を停止させる制御を行うことで、障害の発生したＬＡＮインタフェースカードに実装されているＬＡＮインタフェースのパケット信号送信の不要な断を防止する。
【００２９】
図１は、本発明に係るＬＡＮインタフェース収容伝送装置のプロテクション機能を説明する図である。１０ａ，１０ｎはＬＡＮインタフェース回路でありＬＡＮインタフェースカードを示しており、前記の図４で説明したようにＬＡＮインタフェース収容伝送装置にはＬＡＮインタフェース回路１０ａが複数収容されている。１１は警報管理部、１２は１＋１制御部、１３はＬＡ制御部、１４はＳＴＰ制御部、１５はＬＡＮインタフェース制御部である。
【００３０】
図２は、本発明に係るプロテクション登録情報を説明する図である。該プロテクション登録情報はカードＮｏ、ポートＮｏごとに該ポートＮｏのＬＡＮインタフェースが有するプロテクション情報をＬＡＮインタフェース制御部１５が備える。
【００３１】
ＬＡＮインタフェースが１＋１プロテクションを有するならば、１＋１登録情報欄の１＋１ＩＤ、対を構成する他方のＬＡＮインタフェース（以降、ペアポートと記載する。）のカードＮｏとポートＮｏが登録される。該１＋１ＩＤは該ＬＡＮインタフェースと１＋１プロテクションを構成するＬＡＮインタフェースのグループ（対）を識別するＩＤであり、該ペアポートのカードＮｏとポートＮｏは該ＬＡＮインタフェースと１＋１プロテクションを構成するＬＡＮインタフェースのカードＮｏとポートＮｏである。
【００３２】
ＬＡＮインタフェースがＬＡプロテクションを有するならば、ＬＡ登録情報欄のＬＡＩＤ、ＬＡのカードＮｏとポートＮｏが登録される。該ＬＡＩＤは該ＬＡＮインタフェースとＬＡプロテクションを構成するＬＡＮインタフェースのグループを識別するＩＤであり、該ＬＡのポートのカードＮｏとポートＮｏは該ＬＡＮインタフェースとＬＡプロテクションを構成するＬＡＮインタフェースのカードＮｏとポートＮｏである。
【００３３】
ＬＡＮインタフェースがＳＴＰプロテクションを有するならば、ＳＴＰ登録情報欄のＳＴＰＩＤ、ＳＴＰプロテクションが実行状態(Enable)か否実行状態(Disable)であるかを示す情報が登録される。該ＳＴＰＩＤは該ＬＡＮインタフェースとＳＴＰプロテクションを構成するＬＡＮインタフェースのグループを識別するＩＤである。
【００３４】
図１にて、ＬＡＮインタフェース回路１０ａはＬＡＮインタフェース入力信号(10)、ＬＡＮインタフェース出力信号(11)にてＬＡＮと接続している。ＬＡＮインタフェース回路１０ａ〜１０ｎで検出された障害信号(12)は警報管理部１１にて収集され、プロテクション処理を行うＬＡＮインタフェースカードを認識する。警報管理部１１から１＋１制御部１２、ＬＡ制御部１３、ＳＴＰ制御部１４へは障害の発生したカードＮｏとポートＮｏを通知する(13)。１＋１制御部１２は通知されるポートＮｏに応じて１＋１切り替えを実行すると共に、１＋１制御部１２が有しているプロテクション情報、つまり１＋１プロテクションを実施しているカードＮｏ，ポートＮｏ、そして１＋１プロテクションの切り替え先となるペアポートのカードＮｏ，ポートＮｏを、該プロテクション情報が登録された時にＬＡＮインタフェース制御部１５に通知する(15)。ＬＡ制御部１３は通知されるポートＮｏに応じてＬＡに設定されているポートＮｏの主信号を再振り分けすると共に、ＬＡ制御部１３が有しているプロテクション情報、つまりＬＡプロテクションを実施しているカードＮｏ，ポートＮｏ、そしてＬＡプロテクションしているグループのＬＡＮインタフェースのカードＮｏ，ポートＮｏを、該プロテクション情報が登録された時にＬＡＮインタフェース制御部１５に通知する(15)。ＳＴＰ制御部１４は通知されるポートＮｏに応じてスパニング・ツリーを構成する通信経路から切り離すためにＢＰＤＵパケット信号の送信を停止するべく制御(14)すると共に、ＳＴＰ制御部１４が有しているプロテクション情報、つまりＳＴＡプロテクションを実施しているカードＮｏ，ポートＮｏ、そしてＳＴＰプロテクションが実行状態(Enable)か否実行(Disable)であるかを、該プロテクション情報が登録された時にＬＡＮインタフェース制御部１５に通知する(15)。ＬＡＮインタフェース制御部１５は、警報管理部１１より通知されるカードＮｏに応じて該当するＬＡＮインタフェースカードに実装されているＬＡＮインタフェースを、前記の図２で説明したプロテクション登録情報に応じてＬＡＮインタフェースのパケット信号送信を停止するべく制御する(16)。
【００３５】
図３は、本発明に係るＬＡＮインタフェース制御処理フローチャートであり、前記の図1に示したＬＡＮインタフェース制御部１５の処理フローを示している。
Ｓ１．警報管理部１１からの通知情報によりＬＡＮインタフェースカードの障害を認識する。
Ｓ２．該通知情報により障害が発生したＬＡＮインタフェースカードの種別を認識する。（ＬＡＮインタフェース収容伝送装置の実装情報より認識する。）
Ｓ３．該ＬＡＮインタフェースカード種別より該ＬＡＮインタフェースカードに実装されているＬＡＮインタフェース数を認識し設定する。
Ｓ４．該ＬＡＮインタフェース数分の制御処理が終了したかを判断する。
Ｓ５．ステップＳ４にて該ＬＡＮインタフェース数分の制御処理が終了していない場合であり、次のＬＡＮインタフェースにプロテクション登録が有るかを判断する。該プロテクション登録の有無は、図２の１＋１ＩＤ，ＬＡＩＤ，ＳＴＰＩＤの有無により判断する。もしくは、プロテクションの有無を示すフラグを用いて判断する。
Ｓ６．ステップＳ５にてプロテクション登録が無い場合であり、ＬＡＮインタフェースは単独で使用されている状態であるので、該ＬＡＮインタフェーのパケット信号送信の停止制御を実施しない（図３では、スキップと記載している。）。
Ｓ７．ステップＳ５にてプロテクション登録が有る場合であり、該プロテクション登録が１＋１プロテクションの登録であるかを判断する。
Ｓ８．ステップＳ７にてＬＡＮインタフェースに１＋１プロテクションの登録が有る場合であり、図２のプロテクション登録情報から知れるペアポートに障害が発生して両系ともに障害が発生している（両系ダウン）かを判断する。
Ｓ９．ステップＳ８にて両系ダウンであると判断された場合であり、ペアポート側に切り替えても信号疎通の可能性が無い場合なので、該ＬＡＮインタフェーのパケット信号送信の停止制御を実施しない。
Ｓ１０．ステップＳ８にて両系ダウンではないと判断された場合であり、ペアポート側に切り替えると信号疎通の可能性が有る場合なので、該ＬＡＮインタフェーのパケット信号送信の停止制御を実施する。
Ｓ１１．ステップＳ７にてＬＡＮインタフェースに１＋１プロテクションの登録が無い場合であり、ステップＳ５で判断されたプロテクション登録がＬＡプロテクションの登録であるかを判断する。
Ｓ１２．ステップＳ１１にて該当のＬＡＮインタフェースにＬＡプロテクションの登録が有る場合であり、図２のプロテクション登録情報から知れるＬＡプロテクションしているグループのＬＡのカードＮｏ，ポートＮｏの全てにおいて障害が発生しているかを判断する。
Ｓ１３．ステップＳ１２にてＬＡのカードＮｏ，ポートＮｏの全てに障害が有る場合であり、ＬＡＮインタフェースのパケット信号送信の停止制御を実施してもパケット信号疎通の可能性が無い場合なので、該ＬＡＮインタフェーのパケット信号送信の停止制御を実施しない。
Ｓ１４．ステップＳ１２にてＬＡのカードＮｏ，ポートＮｏのいずれかに障害が無い場合であり、ＬＡＮインタフェースのパケット信号送信を停止してもパケット信号疎通の可能性が有る場合なので、該ＬＡＮインタフェーのパケット信号送信の停止制御を実施する。
Ｓ１５．ステップＳ１１にてＬＡＮインタフェースにＬＡプロテクションの登録が無い場合であり、ステップＳ５で判断されたプロテクション登録がＳＴＰプロテクションの登録が有り、Enable状態になっているかを判断する。
Ｓ１６．ステップＳ１５にてＳＴＰプロテクションの登録が有り、Enable状態になっている場合であり、該当のＬＡＮインタフェースではスパニング・ツリーを構成する通信経路から切り離すためにＢＰＤＵパケット信号の送信を停止するべく制御(14)されているので、該ＬＡＮインタフェーのパケット信号送信の停止制御を実施しない。
【００３６】
なお、ステップＳ６，Ｓ９，Ｓ１０，Ｓ１３，Ｓ１４，Ｓ１６のいずれかのステップを実行した後、もしくはステップＳ１５にてＳＴＰプロテクションの登録が無い場合もしくはDisable状態になっている場合は、次のＬＡＮインタフェースについての処理を行うのでステップＳ４に戻る。
【００３７】
ステップＳ４にてステップＳ３で設定したＬＡＮインタフェースインタフェース数分の制御処理が終了した場合、本制御処理フローは終了となる。
【図面の簡単な説明】
【００３８】
【図１】本発明に係るＬＡＮインタフェース収容伝送装置のプロテクション機能を説明する図
【図２】本発明に係るプロテクション登録情報を説明する図
【図３】本発明に係るＬＡＮインタフェース制御処理フローチャート
【図４】ＬＡＮインタフェース収容伝送装置の構成を説明する図
【図５】ＬＡＮインタフェース収容伝送装置のプロテクション機能を説明する図
【図６】ＬＡＮインタフェース収容伝送装置のプロテクション動作を説明する図（１）
【図７】ＬＡＮインタフェース収容伝送装置のプロテクション動作を説明する図（２）
【図８】ＬＡＮインタフェース収容伝送装置のプロテクション動作を説明する図（３）
【図９】ＬＡＮインタフェース収容伝送装置のプロテクション動作を説明する図（４）
【符号の説明】
【００３９】
１    ＬＡＮインタフェース収容伝送装置
２    ＬＡＮインタフェース収容伝送装置（装置）Ａ
３    ＬＡＮインタフェース収容伝送装置（装置）Ｂ
１０ａ，１０ｎ，４０ａ，４０ｎ    ＬＡＮインタフェース回路
１１，４１    警報管理部
１２，４２    １＋１制御部
１３，４３    ＬＡ制御部
１４，４４    ＳＴＰ制御部
１５，４５    ＬＡＮインタフェース制御部
３１，３２，３３，３４，１１Ａ，２１Ａ，３１Ａ，４１Ａ，１１Ｂ，２１Ｂ    ＬＡＮインタフェースカード
３５    装置管理制御カード
１１ＡＰ，２１ＡＰ，３１ＡＰ，４１ＡＰ，１１ＢＰ，２１ＢＰ    ＬＡＮインタフェースを示すポートＮｏ
【図１】
2005130409.tif 000003
【図２】
2005130409.tif 000004
【図３】
2005130409.tif 000005
【図４】
2005130409.tif 000006
【図５】
2005130409.tif 000007
【図６】
2005130409.tif 000008
【図７】
2005130409.tif 000009
【図８】
2005130409.tif 000010
【図９】
2005130409.tif 000011